(57)【要約】  腰開口部と一対の脚開口部とを有するパンツ型使い捨て衣類を開示する。当該衣類は、第１腰パネルと、第２腰パネルと、第１腰パネルおよび第２腰パネルの間に配置された股パネルとを備える。股パネルは、少なくとも第２腰パネルに対して開放および再閉鎖することができる。衣類は、解放可能ジョイントと締結部材とをさらに有する。解放可能ジョイントは、パンツ形状を予め形成するために、股パネルを第２腰パネルに解放可能に接合する。まず股パネルを開くために、解放可能ジョイントが解放される。締結部材は、解放可能ジョイントが解放された後にパンツ形状を再形成するために、股パネルを第２腰パネルに再締結させることができる。
2007522912.tif 000002
【特許請求の範囲】
【請求項１】
第１腰パネルと、第２腰パネルと、前記第１腰パネルおよび前記第２腰パネルの間に配置された股パネルと、を備え、前記股パネルは少なくとも前記第２腰パネルに対して開放可能および再閉鎖可能である、腰開口部と一対の脚開口部とを有するパンツ型使い捨て衣類であって、
パンツ形状を予め形成するために前記股パネルを前記第２腰パネルに解放可能に接合する解放可能ジョイントであって、まず前記股パネルを開くため解放される解放可能ジョイントと、
前記解放可能ジョイントが解放された後に前記パンツ形状を再形成するために、前記股パネルを前記第２腰パネルに再締結することができる締結部材と、をさらに備える、パンツ型使い捨て衣類。
【請求項２】
前記第１腰パネルが前側腰パネルであり、前記第２腰パネルが後側腰パネルである、請求項１に記載のパンツ型使い捨て衣類。
【請求項３】
前記第１腰パネルが後側腰パネルであり、前記第２腰パネルが前側腰パネルである、請求項１に記載のパンツ型使い捨て衣類。
【請求項４】
前記股パネルは前記第１腰パネルおよび前記第２腰パネルの両方に対して開放可能および再閉鎖可能である、請求項１に記載のパンツ型使い捨て衣類。
【請求項５】
前記解放可能ジョイントは、一旦解放されると、前記股パネルを前記第２腰パネルに接合することができない、請求項１に記載のパンツ型使い捨て衣類。
【請求項６】
前記第１腰パネル、前記第２腰パネル、および前記股パネルの各々は、互いに別個の部材から成る、請求項１に記載のパンツ型使い捨て衣類。
【請求項７】
前記股パネルは、前記第２腰パネルに対して開放可能な開放可能端部を有する、請求項１に記載のパンツ型使い捨て衣類。
【請求項８】
前記股パネルは、前記第１腰パネルに恒久的に接合した固着端部を有する、請求項７に記載のパンツ型使い捨て衣類。
【請求項９】
前記締結部材は、前記開放可能端部に隣接して前記股パネル上に設けられている、請求項７に記載のパンツ型使い捨て衣類。
【請求項１０】
前記締結部材はフックタイプの材料を有し、前記第１腰パネルは前記フックタイプの材料に対して相補的である受け材料を有する、請求項９に記載のパンツ型使い捨て衣類。
【請求項１１】
前記締結部材は、前記解放可能ジョイントが解放される前に、前記第２腰パネルの外側に露出していない、請求項１に記載のパンツ型使い捨て衣類。
【請求項１２】
前記締結部材は、前記解放可能ジョイントが解放される前に、前記第２腰パネルのいかなる部分にも締結されていない、請求項１１に記載のパンツ型使い捨て衣類。
【請求項１３】
前記解放可能ジョイントは、前記第２腰パネルの一部分と前記股パネルの一部分とを接合するように設けられる、請求項１に記載のパンツ型使い捨て衣類。
【請求項１４】
前記衣類は、前記第２腰パネルと前記股パネルとの間に設けられた取付けユニットを備え、
前記取付けユニットは、第１恒久取付け部にて前記第２腰パネルに取付けられると共に、第２恒久取付け部にて前記股パネルに取付けられ、
前記解放可能ジョイントは前記第１恒久取付け部と前記第２恒久取付け部との間に設けられ、これにより、前記取付けユニットは、前記解放可能ジョイントが解放された場合に、前記解放可能ジョイントにて分離する、請求項１３に記載のパンツ型使い捨て衣類。
【発明の詳細な説明】
【技術分野】
【０００１】
（関連出願に対する相互対照）
本特許出願は、２００４年２月１０日に出願された米国仮出願番号６０／５４３１７１の利益を主張する。
【０００２】
（発明の分野）
本発明は、幼児、成人、若しくは失禁症状のある人に使用される再締結可能な締結装置を有するパンツ型使い捨て衣類；又は補充インナーパッドなどの別の吸収性物品と共に使用される、再締結可能な締結装置を有するパンツ型使い捨て失禁用衣類に関する。
【背景技術】
【０００３】
失禁症状のある人の身体排泄物の収集を助けるために装着される使い捨て吸収性物品は、当該技術分野において周知である。そのような従来技術としては、おむつの腹部および背部が、腹部および背部の両側縁部で共に連結および固定されて、一対の脚開口部と単一の腰開口部とを形成する、パンツ型使い捨ておむつが挙げられる。例えば、米国特許第５，４４９，３５３号および米国特許第５，７３５，８３９号は、そのような従来のパンツ型おむつを開示している。そのようなパンツ型おむつに伴う１つの欠点は、おむつを適用する方法が、パンツのように引っぱり上げて装着する方法に制限されるということである。吸収性物品をパンツのように適用することは、多くの場合において好都合であり、特に活動的で歩行できる失禁症状のある人に適している。しかし、この同じ着用者でさえ、吸収性物品を従来のテープ型おむつのように適用することが有用な場合がある。例えば、着用者の靴を外したくない場合、吸収性物品をテープ型おむつのように適用することはより便利であろう。吸収性物品の特定の適用方法が必要となる時を知るのは難しいため、パンツ型おむつおよびテープ型おむつのどちらの使用にも適応できる吸収性物品を有することが有益である。両タイプの吸収性物品を予め利用できるようにしておくことが望ましい。またパンツ型おむつおよびテープ型おむつのどちらのようにも適用できる吸収性物品により、吸収性物品を引き下げずに、物品の内側を簡単に確認することができる。
【０００４】
このような切り替え可能なパンツ型おむつの典型例は、例えば、ＰＣＴ国際公開特許ＷＯ００／３５３９８に開示されている。これはパンツ型使い捨ておむつを開示しており、ここでおむつの前後の腰部区域は、おむつを装用した時に着用者の腰上に位置するおむつのサイドパネル部分において、互いに解放可能に締結されている。このおむつは、おむつのサイドパネルに配置された、前後の腰部区域を互いに締結するための再締結可能な締結装置を包含する。ＰＣＴ国際公開特許ＷＯ００／３５３９８に開示されるような使い捨ておむつは、再締結可能な締結装置が、通常はフック型締結具および当該フック型締結具と解放可能に係合したループ型締結具を備えているので、パンツ型おむつおよびテープ型おむつのどちらのようにも適用できる。先行技術に開示されるような解放可能な締結化は、典型的には、前後の腰部区域のサイドパネル部分を互いに重ね合わせることによって達成される。前後の腰部区域のサイドパネル部分を重ね合わせると、おむつの装用中にサイドパネル部分に望ましくない隆起が形成される。このような望ましくない隆起により、例えばおむつと着用者の衣類との間に加わる摩擦が原因で、おむつの使用時、好ましくないことに重なり合ったサイドパネル部分が互いに簡単に外れる可能性がある。さらに切り替え可能ななパンツ型おむつのサイドパネル部分は、典型的にはおむつの横方向に伸縮性がある。したがって、このような従来型の切り替え可能なパンツ型おむつのユーザは、ユーザにとって、前後の腰部区域のサイドパネル部分を互いに重ね合わせるのが難しいという欠点に悩まされる。この欠点は、横に細長いサイドパネル部分が、サイドパネル部分の弾性により、その元の大きさ／形状に戻りやすいという事実から生じるものである。
【発明の開示】
【発明が解決しようとする課題】
【０００５】
別の種類のパンツ型おむつが欧州特許出願ＥＰ１１３３９６６Ａ２に開示されている。これは、おむつの股区域を、おむつの前側腰区域に対して開放可能および再閉鎖可能である使い捨てプルオンおむつを開示している。パンツ形状を形成するために、機械的締結具、接着テープなどの締結部材を設けて、股区域を前腰部区域に再締結可能に接合する。パンツ形状に形成されたおむつは、パンツのように引っぱり上げて装用者の身体に付けられる。しかし、締結部材は、おむつを引っぱり上げて装用者に付ける間に締結部材に加わる力が原因で、緩む可能性がある。こうしたことが起きる場合、ユーザは、おむつのパンツ形状を再形成するために締結部材を再締結し、おむつを装用者の体に適用するプロセスを繰返さなければならない。さらに悪ければ、締結部材が破損して使用不可能になることがある。
【０００６】
上記に基づき、股部分が開放および再閉鎖可能であり、衣類の装用プロセス中に予想外に開放することのない、パンツ型使い捨て衣類の必要性がある。
【課題を解決するための手段】
【０００７】
本発明は、腰開口部と一対の脚開口部とを有する、パンツ型使い捨て衣類に関する。当該衣類は、第１腰パネルと、第１腰パネルおよび第２腰パネルとの間に配置された股パネルとを備える。股パネルは、少なくとも第２腰パネルに対して第２腰パネル開放および再閉鎖することができる。衣類は、解放可能ジョイントと締結部材とをさらに備える。解放可能ジョイントは、パンツ形状を予め形成するために、股パネルを第２腰パネルに解放可能に接合する。まず股パネルを開くために、解放可能ジョイントを解放する。締結部材は、解放可能ジョイントが解放された後にパンツ形状を再形成するために、股パネルを第２腰パネルに再締結させることができる。
【発明を実施するための最良の形態】
【０００８】
本発明をとりわけ指摘し、明確に請求する請求項によって本明細書は完結するが、本発明は、添付図面と合わせて説明される好ましい実施形態の以下の記載によりさらに理解が深まるものと考えられ、図面中で同様の参照番号は、同一の要素を特定する。
【０００９】
最初に、本発明に対する読者の理解を助けるため、いくつかの用語の定義を行う。
【００１０】
本明細書で使用する用語「吸収性物品（単数又は複数）」とは、身体排出物を吸収および収容する物品を指し、さらに具体的には、身体から排出される種々の排出物を吸収および収容するため、着用者の身体に付けて又は近接して配置される物品を指す。このような物品としては、使い捨ておむつ、トレーニングパンツ、使い捨ておむつと共に用いられる補充インナーパッド、生理用ナプキン、補充インナーパッドと共に用いられるか又は補充インナーパッドなしで用いられる成人／幼児用失禁衣類などが挙げられる。本明細書で使用する用語「含む」およびその派生語は、記載された特徴、要素、構成成分、基、整数、および／又は工程の存在を特定するが、他の記載されない特徴、要素、構成成分、基、整数、および／又は工程の存在を除外しない、幅広い解釈のできる用語を意図する。この定義は、類似した意味の単語、例えば、用語「有する」、「包含する」、「が設けられる」およびそれらの派生語にも適用される。本明細書で使用する用語「使い捨て」は、一般に、洗濯、又は別の方法で修復若しくは再使用することを意図しない物品を説明する（即ち、一回使用したら廃棄し、好ましくは、リサイクルし、堆肥化し、又は環境に適合する別の方法で処理することを意図する）。本明細書で使用する用語「弾性の」および「エラストマーの」およびそれらの派生語は、変形を生じさせる力を取除いた後、それによりその元の大きさおよび形状に戻る傾向のある材料若しくは複合物の特性を指す。本明細書で使用する用語「接合された」又は「接合する」は、ある要素を他の要素に直接固着することによって、要素を別の要素に直接固定する構造；ある要素を中間部材（類）に固着し、次にその中間部材を他の要素に固着することによって、ある要素を他の要素に間接的に固定する構造；およびある要素が別の要素と一体化する構造、即ちある要素がもう一方の要素の本質的に一部分である構造を包含する。この定義は、類似した意味の単語、例えば、用語「取付けられた」、「接合された」、「固着された」、およびそれらの派生語にも適用される。用語「部材」は、単数で用いられる場合、単一の要素又は複数の要素の２つの意味を有し得る。本明細書で使用する用語「不織布」は、織った布地、編んだ布地、フェルト加工布地などではなく、相互連結又は接合によって合わせて保持された繊維で作製される布地を指す。本明細書で使用する用語「布地」は、不織布ウェブ、織布材料、あるいは他の種類の布地を指してもよい。本明細書で使用する用語「恒久的に取付けられた」、「恒久的に接合された」、「恒久的に固着された」、又は「恒久的に接合された」は、衣類の通常の使用条件下において、要素が接合しやすくまた接合し続けるように、吸収性物品の２つの要素を接合すること、接着すること、連結すること、取付けること、若しくは同様のことを指す。本明細書で使用する用語「パンツ型衣類」、「プルオンタイプの衣類」、およびこれらの変形は、固着された縁部および脚開口部を有する衣類（例えば、使い捨て衣類）を指す。パンツ型衣類は、着用者の脚を脚開口部の中に挿入し、パンツ型物品を着用者の胴体下部の周囲の位置へと滑らせることによって、着用者上の適所に配置される。本明細書で使用する用語「再締結可能な」は、ほぼ恒久的に変形又は断裂することなく、２つの要素を解放可能に取付け、分離できる特性、またその後に解放可能に再取付けできる特性を指す。本明細書で使用する用語「解放可能な」は、２つの要素を少なくとも分離できる特性を指す。本明細書で使用する用語「解放可能に接合できる」、「解放可能に取付けできる」、「解放可能に係合できる」、「解放可能に接合された」、「解放可能に取付けられた」、「解放可能に係合された」、およびそれらの変形は、一方又は両方の要素に加えられる離脱力が無い時要素が連結し続ける傾向があるように２つの要素を連結すること又は連結できることを指し、またほぼ恒久的に変形又は断裂することなく要素を分離できることを指す。必要とされる離脱力は、通常は、吸収性物品の装用中に遭遇する離脱力を超えるものである。本明細書で使用する用語「解放可能および繰返し接合された（接合できる）」、「解放可能および繰返し取付けられた（取付けられる）」、「解放可能および繰返し可能に係合された（係合できる）」、およびこれらの変形は、ほぼ恒久的に変形および裂断することなく２つの要素を分離できること、またこのような分離の後に２つの要素を何度も再連結すること又は再連結できることを指す。
【００１１】
衣類１００は、典型的には、液体透過性トップシートと、液体不透過性バックシートと、トップシートおよびバックシートとの間に配置された、身体排泄物を捕捉および蓄積するための吸収性コアを有する。あるいは、トップシート、バックシート、および吸収性コアのいずれかは、衣類１００が補充インナーパッドなどの別の吸収性物品と共に用いられることを意図する衣類である場合、衣類１００の構成要素から省いてもよい。
【００１２】
図１〜１０は、失禁補助具としての使用に好適だが、これに限定されない、本発明のパンツ型使い捨て衣類の一実施形態を例示している。図１は、下部にある特徴を示すために構造の部分が切りとられ、その平坦で収縮していない（即ち、弾性によって生じる収縮が引き伸ばされている）状態における、本発明によるパンツ型使い捨て衣類１００の平面図を例示している。本明細書に記載された本発明は、おむつカバー又は補充インナーパッドと共に用いられる失禁用衣類などのパンツ型使い捨て衣類にも適用できる。図１に例示したように、衣類１００は、長手方向中心線Ｌを有する。本明細書で使用する用語「長手方向」は、衣類１００が装着された時、立っている着用者を体の右半身および左半身に二分する垂直な平面とほぼそろう（例えば、ほぼ平行な）衣類１００の平面における線、軸線、又は方向を指す。図１に例示した衣類１００はまた、横断方向中心線Ｔを有する。本明細書で使用する用語「横断方向」又は「横方向」とは、互換可能であり、長手方向とほぼ垂直に交わる衣類１００の平面における線、軸線、又は方向を指す。衣類１００は、側縁部１６０および端縁部１７０によって画定される周辺部を有する。衣類１００は２つの表面を有し、１つは着用者に面する表面１１０であり、もう１つは反対側の表面１２０である。着用者に面する表面１１０とは、衣類１００が装着された時にほぼ着用者の方を向く衣類１００の表面である。着用者に面する表面１１０は、典型的には衣類１００の使用時、少なくとも部分的に着用者の皮膚と接触している。反対側の表面１２０は、衣類１００が装着された時に着用者からほぼ反対向きであり、また衣類１００の外側に別の衣類が装用される場合に少なくとも部分的に別の衣類の方を向く衣類１００の表面である。衣類１００はまた、第１腰部区域１３０、第１腰部区域１３０に向かい合う第２腰部区域１４０、およびそれらの間に配置されて第１腰部区域１３０と第２腰部区域１４０とを連結する股区域１５０を有する。第１腰部区域１３０および第２腰部区域１４０は、端縁部１７０から股区域１５０に向って伸びる。一実施形態では、第１および第２腰部区域１３０、１４０は、それぞれ前側および後側の腰部区域であってもよい。あるいは、第１および第２腰部区域１３０、１４０は、それぞれ後側および前側の腰部区域であってもよい。
【００１３】
衣類１００は、腰開口部１８０および一対の脚開口部１９０を有するパンツ形体を提供するように構成される。腰開口部１８０には１つ以上の第１伸縮部材１８１が設けられており、第１伸縮部材は、衣類１００の装用時に衣類１００を着用者の腰周りにフィットさせるため、腰開口部１８０の周囲に沿って少なくとも部分的に、好ましくは全体的にギャザーを形成する。各脚開口部１９０には１つ以上の第２伸縮部材１９１が設けられており、第２伸縮部材は、衣類１００の装用時に着用者の脚に沿って衣類１００をフィットさせるため、各脚開口部１９０の周囲にそって少なくとも部分的に、好ましくは全体的にギャザーを形成する。
【００１４】
衣類１００は、第１腰部区域１３０に配置された第１腰パネル１３１と、第２腰部区域１４０に配置された第２腰パネル１４１（第１および第２腰パネルを集合的に「腰パネル」と呼んでもよい）と、股区域１５０に配置され且つ第１腰パネル１３１および第２腰パネル１４１の間に配置された股パネル１５１とを有する。一実施形態では、第１および第２腰パネル１３１、１４１は、それぞれ前側および後側の腰パネルであってもよい。あるいは、第１および第２腰パネル１３１、１４１は、それぞれ後側および前側の腰パネルであってもよい。図１〜５に示した実施形態では、第１腰パネル１３１は前側腰パネルであり、第２腰パネル１４１は後側腰パネルである。股パネル１５１は、接着剤、圧力接着、熱接着などのあらゆる既知の手段によって、第１腰パネル１３１に恒久的に接合されており、且つ以下に詳細に説明する解放可能ジョイント５００によって、第２腰パネル１４１に解放可能に接合されている。股パネル１５１は、第２腰パネル１４１に対して開放および再閉鎖することができる。あるいは、股パネル１５１を第１腰パネル１３１および第２腰パネル１４１の両方に対して開放および再閉鎖することができるように、股パネル１５１は、解放可能ジョイントによって、第１腰パネル１３１および第２腰パネル１４１の両方に解放可能に接合されてもよい。
【００１５】
衣類１００は解放可能ジョイント５００を備えており、ジョイントは、衣類１００のパンツ形状を予め形成するため、股パネル１５１を少なくとも第２腰パネル１４１に解放可能に接合する。まず第２腰パネル１４１から股パネル１５１を開放する必要がある場合は、解放可能ジョイント５００を解放する。本明細書で使用する用語「解放可能ジョイント」は、意図的な離脱力をジョイントに加えるまで２つの要素を互いに接合させるジョイントを指し、当該ジョイントは、一旦意図的な離脱力をジョイントに加えても重大な損傷を要素に与えずに開放されることができる。まず解放可能ジョイント５００が解放された後、解放可能ジョイント５００は、股パネル１５１を第２腰パネル１４１に接合できなくてもよい。あるいは、まず解放可能ジョイント５００が解放された後、解放可能ジョイントは、尚も股パネル１５１を第２腰パネル１４１に解放可能に接合できてもよい。解放可能ジョイント５００が解放された時、衣類１００の内側にアクセスするための開口部を提供するように、股パネル１５１を第２腰パネル１４１から開放可能である。したがって、衣類１００の腰パネル１３１、１４１がまだ着用者にしっかりと固定されている間、ユーザは衣類１００の内側にアクセスして、衣類１００の内側を確認したり、衣類１００の内側をきれいにしたり、あるいは衣類１００の内側に配置された補充インナーパッドを交換することができる。股パネル１５１は、解放可能ジョイント５００が解放された後、衣類１００をパンツ形状に再形成するように、第２腰パネル１４１に対して再び閉じることができなければならない。そのため衣類１００は、股パネル１５１を第２腰パネル１４１に再締結できる締結部材４００をさらに備える。例えば、衣類１００の内側を確認するために股パネルを再び開放する必要がある場合、ユーザ／介護人は、締結部材４００を解放することによって股パネル１５１を第２腰パネル１４１から分離させる。衣類１００の内側に関する作業を終えた後、ユーザ／介護人は、衣類１００のパンツ形状を再形成するために、締結部材４００を用いて股パネル１５１を第２腰パネル１４１に解放可能に再び取付ける。
【００１６】
衣類のパンツ形状を予め形成するために解放可能ジョイントを使用することは、開放可能股パネルを有するパンツ型使い捨て衣類において特に有用である。パンツ形状を予め形成するために締結部材によって開放可能な股パネルを第２腰パネルに接合する場合、締結部材は、おむつを引っぱり上げて装用者に付ける間に締結部材に加わる力が原因で、緩んだり破損することがある。締結部材の緩み又は破損の問題を防止するために、股パネルを第２腰パネルに接合するための締結部材の繋留力（anchoringforce）を高めることが可能であろう。しかし、このような場合、締結部材の高い繋留力により、ユーザは、股パネルを第２パネルから分離および開放する際に困難を覚えるであろう。本発明のパンツ型使い捨て衣類において、解放可能ジョイントは衣類のパンツ形状を予め形成し、また解放可能ジョイントは衣類を引っぱり上げるための引っぱり力に耐える。したがって、締結部材は、衣類のパンツ形状を予め形成するために締結されなくてもよく、引っぱり力から保護される。あるいは、仮に衣類の使用前に股パネルを第２腰パネルに接合させるために締結部材を締結しても、パンツ形状を予め形成するための解放可能ジョイントが存在しているので、締結部材に加わる力は和らげられ、締結部材は引っぱり力から保護される。
【００１７】
腰パネル１３１、１４１は、着用者の腰を取囲み、衣類１００の装用時に股パネルを着用者の体にフィットさせる。図１および２に例示したように、腰パネル１３１、１４１は、典型的には２つの表面を有する；一方は内面１３１Ａ、１４１Ａであり、他方は外面１３１Ｂ、１４１Ｂである。内面１３１Ａ、１４１Ａは、衣類１００が装用された時に通常着用者の方を向く腰パネル１３１、１４１の表面である。内面１３１Ａ、１４１Ａは、通常衣類１００の使用時、少なくとも部分的に着用者の皮膚と接触している。外面１３１Ｂ、１４１Ｂは、衣類１００が装着された時に着用者から通常反対向きであり、また別の衣類が着用される場合に少なくとも部分的に別の衣類の方を向く腰パネル１３１、１４１の表面である。
【００１８】
腰パネル１３１、１４１は、材料の単一部分から、又は同一若しくは異なってもよい多数の材料の別個部分から作製することができる。図１〜５に例示した実施形態において、第１腰パネル１３１は、側縁部１６０の１つと第１側面部分２３１の間に配置された第１中央部分２３２とに隣接した、２つの第１側面部分２３１を有する。第１中央部分２３２は、通常、衣類１００が装用された時に着用者の腹側の腰部を覆う。第２腰パネル１４１は、側縁部１６０の１つおよび第２側面部分２４１の間に配置された第２中央部分２４２に隣接した、２つの第２側面部分２４１を有する。第２中央部分２４２は、通常、衣類１００が装用された時に着用者の背側の腰部を覆う。図２〜５に例示したように、各第１側面部分２３１は、側面の継ぎ目Ｓにおいて各第２側面部分２４１に恒久的に接合させ、環状の腰パネル２００を形成する。第１側面部分２３１と第２側面部分２４１を互いに接合するために、熱ボンド、圧力接着、超音波接着、又は当該技術分野において既知の他のいかなる好適な手段若しくはこれらの組み合わせも使用することができる。
【００１９】
腰パネル１３１、１４１は、１層又は複数層、好ましくは２層又は３層を備えてもよい。図１に例示したように、腰パネル１３１、１４１は、内側層２５０と外側層２６０を含む２つの層を備えている。内側層２５０は、内面１３１Ａ、１４１Ａ上に配置されており、通常、衣類１００が装用された時に少なくとも部分的に着用者の皮膚と接触する。外側層２６０は、腰パネル１３１、１４１の外面１３１Ｂ、１４１Ｂ上に配置されており、通常、別の衣類が装用された時に少なくとも部分的に着用者の衣類と接触する。腰パネル１３１、１４１は、衣類１００が装用されている間に腰パネル１３１、１４１を着用者の胴体の周りにフィットさせるため、内側層２５０と外側層２６０との間に配置された１つ以上の伸縮性ストランド２７０によって伸縮性を持たせることができる。伸縮性ストランド２７０により、腰パネル１３１、１４１は、腰パネル１３１、１４１が使用時に着用者の体に動的にフィットするように、伸縮自在に伸張および収縮することが可能となる。
【００２０】
腰パネル１３１、１４１は、好ましくは不織布材料を含む。腰パネル１３１、１４のためのこのような不織布材料は、好ましくは通気性である。しかし、腰パネル１３１、１４１が織布ウェブ、スクリム、フィルム、目の粗い繊維、あるいは腰パネル１３１、１４１に布様の外観および／又は感触をもたらすとともに少なくとも透気性のある、当該技術分野において既知の他のいかなる材料若しくは材料の組み合わせなどの材料をも含む実施形態が考慮される。腰パネル１３１、１４１が２つの層（即ち、内側層２５０および外側層２６０）を含む場合、このような層は、特に不織布又はポリマーフィルムなどのいかなる材料をも含んでもよい。好ましい実施形態では、層は、２つの不織布層を含む積層体、又は不織布層およびポリマーフィルムから形成されてもよい。腰パネル１３１、１４１の内面１３１Ａ、１４１Ａ上に配置された層には、好ましくは不織布層が設けられている。このような不織布層は、着用者の皮膚に柔軟な表面を提供し、故に、皮膚の健康を大きく改善する。ウエストパネル１３１、１４１はまた、３つの層；１つのフィルム層と２つの不織布層とを含んでもよい。好ましくは、フィルムは、２つの不織布層の間に挟まれてもよい。層のこの順序は、着用者の皮膚との接触においてとりわけ心地良い感覚を有する閉じた繊維構造を、結果としてもたらす。
【００２１】
腰パネル１３１、１４１のための好適な不織布層は、フェルト布、スパンレース布、流体ジェット交絡布、エアレイド布、湿式布、乾式布、メルトブロー布、短繊維カーディング布、スパンボンド布、ステッチボンド布、孔あき布、上記の組み合わせなどを含んでもよい。腰パネル１３１、１４１を構成する１層又は複数層の不織布層は、疎水性であっても又は親水性であってもよい。腰パネル１３１、１４１のための好適なフィルム材は、熱可塑性材料を含んでもよい。熱可塑性材料は、全ての種類のポリオレフィン類、特に、ポリエチレン、ポリプロピレン、非晶性ポリオレフィン類など；セルロース、木材パルプ、綿、黄麻、大麻などの天然繊維を含む繊維又はポリマー接合剤を含む溶解可能構成成分を含有する材料；ファイバーグラス、レーヨン、ポリエステル、ポリオレフィン、アクリル、ポリアミド、アラミド、ポリテトラフッ素エチレンメタル、ポリイミドなどの合成繊維；２成分高溶解／低溶解ポリマー、コポリマーポリエステル、ポリ塩化ビニル、ポリビニルアセテート／塩化コポリマー、コポリマーポリアミド、構成材料のいくつかが溶解可能でない混合物を含む材料などの接合剤；エクソンケミカル社（EXXONChemicalCo.）（米国イリノイ州）により、表記ＥＸＸＡＩＲＥで供給されるもの、又は三井化学（MitsuiChemicalCo.）（日本）により、表記ＥＳＰＯＩＲＮＯで供給されるものなど、微小多孔性フィルムを含む、空気および蒸気透過性材料；並びにデュポン（DuPont）から入手可能なハイトレール（Hytrel）（登録商標）と、ＥＬＦアトケム（Atochem）（フランス）から入手可能なペバックス（Pebax）（登録商標）などのモノリシック構造の通気性材料から選択され得る。
【００２２】
股パネル１５１は２つの表面を有しており；図１に例示したように一方は内側表面３１０であり、他方は外側表面３２０である。内側表面３１０とは、衣類１００が装着された時に通常、着用者の方を向く股パネル１５１の表面である。内側表面３１０は、典型的には衣類１００の使用時、少なくとも部分的に着用者の皮膚と接触している。外面３２０は、衣類１００が装着された時に着用者から通常、反対向きであり、また別の衣類が着用される場合に少なくとも部分的に別の衣類の方を向く股パネル１５１の表面である。股パネルは、典型的には、液体透過性トップシート、液体不透過性バックシート、および身体排泄物を捕捉および蓄積するために吸収性コアを備える集合体であってもよい。股パネルは、複合的な吸収性集合体構造を形成するために加えられる他の特徴をさらに含んでもよい。あるいは、股パネルは、例えば補充インナーパッドを内側に保持するための液体不透過性シートのみを備えてもよい。
【００２３】
図１に示した実施形態では、第１腰パネル１３１、第２腰パネル１４１、および股パネル１５１は、互いに別個の部材から成る。股パネル１５１は、第１腰パネル１３１に恒久的に接合した固着端部３０６を含む第１部分３０１と、第２腰パネル１４１に対して開放可能な開放可能端部３０５を含む第２部分３０２と、を有する。第１部分３０１は第１中央部分２３２と重なり合い、第２部分３０２は第２中央２４２と重なり合う。固定端部３０６は、第１腰パネル１３１の内面１３１Ａに恒久的に接合されている。好ましくは、第１中央部分３０２と重なり合っている第１部分は、第１腰パネル１３１の内面１３１Ａに恒久的に接合している。開放可能端部３０５は、解放可能ジョイント５００により、第２腰パネル１４１の内面１４１Ａに解放可能に接合されている。解放可能なジョイント５００が解放された後、開放可能端部３０５は、股パネル１５１の開放可能端部３０５を第２腰パネル１４１に再締結できる締結部材４００によって、第２腰パネル１４１の外面１４１Ｂに対して再閉鎖することができる。代替実施形態において、股パネル１５１は、対向する開放可能端部を有してもよく；一方の開放可能端部は、第２腰パネル１４１に対して開放することができ、他方の開放可能端部は、第１腰パネル１３１に対して開放可能である。対向する開放可能端部の両方を第１および第２腰パネルの両方に対して開放および再閉鎖することができるように、解放可能ジョイントは、股パネルの対向する開放可能端部に隣接して設けられてもよく、また締結部材は、対向する開放可能端部に隣接して設けられてもよい。
【００２４】
図１４は、パンツ型使い捨て衣類のパネル構造の代替実施形態の概略図を示している。衣類１００は、第１腰パネル１３１と、第２腰パネル１４１と、股パネル１５１とを有する。股パネル１５１は、別個の股パネルが第１腰パネル１３１に恒久的に接合されている代わりに、第１腰パネル１３１の一体型材料を含んでいる。股パネル１５１は、第２腰パネル１４１に対して開放および再閉鎖することができる開放可能端部３０５を含む、開放可能部分３０２を有する。図１４に示した実施形態では、吸収性集合体１５２は、トップシートと、バックシートと、少なくとも股パネル１５１に配置できる吸収性コアとを備える。
【００２５】
股パネル１５１は、液体透過性トップシート３３０と、液体不透過性バックシート３４０と、トップシート３３０およびバックシート３４０の間に位置する吸収性コア３５０とを備える。股パネル１５１は、好ましくは一対の伸縮性バリアカフ３６０をさらに含む。トップシート３３０は、好ましくは吸収性コア３５０の内側表面に隣接するように位置し、また好ましくは、当該技術分野において周知のあらゆる好適な方法で、同表面およびバックシート３４０に接合されている。バックシート３４０を吸収性コア３５０に接合するこのような方法について、以下に説明する。トップシート３３０およびバックシート３４０は、互いに直接接合してもよい。あるいは、トップシート３３０およびバックシート３４０は、当該技術分野において周知のあらゆる好適な方法で、吸収性コア３５０、伸縮性バリアカフ３６０などの他の要素にこれらのシートを直接接合することによって互いに間接的に接合してもよい。バックシート３４０は、好ましくは吸収性コア３５０の外側表面に隣接するように位置し、また好ましくは、当該技術分野において周知のあらゆる好適な方法で同表面に接合する。例えば、バックシート３４０は、接着剤の均一な連続層、接着剤の模様付き層、又は接着剤の別個の線、螺旋、若しくは点の配列により、吸収性コア３５０に固着されてもよい。満足のいくものであることが判明した接着剤は、ミネソタ州セントポールのＨ．Ｂ．フラー社（H.B.FullerCompany）によって製造され、ＨＬ−１２５８として市販されている。熱ボンド、圧力接着、超音波接着、動的機械的接着、又は当該技術分野において既知の他のいかなる好適な手段若しくはそれらの組み合わせを用いてもよい。股パネル１５１を形成するために、トップシート３３０と、バックシート３４０と、吸収性コア３５０は、周知の様々な構成で組み合わせられてもよいものの、代表的な構造体の構成は、米国特許第５，０７４，８５４号およびＰＣＴ国際公開特許ＷＯ９０／０４３７５に概ね記載されている。さらに図６および７に例示したように、股パネル１５１は、股パネル１５１の外側表面３２０が露出している場合、股区域１５０においてさらに布様の外観を衣類１００に与えるため、バックシート３４０の外側表面上に積層された不織布の最外層３７０をさらに備えてもよい。最外層３７０は、典型的には内側の不織布層３７１と外側の不織布層３７２とを有する。このような実施形態において、トップシート３３０、バックシート３４０、および吸収性コア３５０のいずれかは、衣類１００が補充インナーパッドなどの別の吸収性物品と共に使用されることを意図する場合、股パネル１５１の構成要素から省かれてもよい。
【００２６】
トップシート３３０は、着用者の皮膚に接触するように適合される。トップシート３３０は、衣類１００が装用されている間に着用者に面し、また好適には、着用者の皮膚を吸収性コア３５０内に保持された身体排泄物から隔てる助けとなるために採用される。したがって、トップシート３３０は、順応性があって柔らかい感触で、着用者の皮膚に刺激がないのが好ましい。さらにトップシート３３０は、比較的乾いた表面を着用者に提供するために、吸収性コア３５０より親水性が低くてもよい。トップシート３３０はまた、液体排泄物（例えば、尿）にその厚さを容易に貫通させるために液体透過性であってもよい。好適なトップシートは、織布材料および不織布材料；孔あき成形熱可塑性フィルム、孔あきプラスチックフィルム、およびハイドロフォーミングされた熱可塑性フィルムなど高分子材料；多孔質発泡体；網状発泡体；網状熱可塑性フィルム；および熱可塑性スクリムなど、広範囲の材料から製造されてもよい。好適な織布材料および不織布材料は、天然繊維（例えば、木材繊維若しくは綿繊維）、合成繊維（例えば、ポリエステル繊維、ポリプロピレン繊維、ポリオレフィン繊維、若しくはポリエチレン繊維などの高分子繊維）、又は天然繊維と合成繊維との組み合わせから成ることができる。例えば、トップシート３３０は、ポリオレフィン繊維のメルトブロウン又はスパンボンドウェブから成ってもよい。トップシート３３０はまた、天然および／又は合成繊維から成る接着カードウェブであってもよい。さらにトップシート３３０は、ほぼ疎水性の材料から成ってもよく、また疎水性の材料は、望ましい水準の湿潤性および親水性を付与するために任意に界面活性剤で処理されてもよく、ないしは別の方法で加工されてもよい。このような界面活性剤は、スプレー、プリント、ブラシコーティングなど、あらゆる従来の手段によって適用されてもよい。界面活性剤は、トップシート３３０全体に適用されてもよく、あるいはトップシート３３０の特定区域（衣類の長手方向中心線に沿った中央区域など）に選択的に適用されて、このような区域の湿潤性を増加させてもよい。トップシート３３０は、着用者の皮膚の健康を改善するために着用者の皮膚に移転するように構成された、トップシートに適用される組成物をさらに含んでもよい。
【００２７】
バックシート３４０は、吸収性コア３５０に吸収および収容された身体排泄物が、ベッドシーツおよび下着など、衣類１００に接触する他の物品を濡らすのを防ぐためである。故に、バックシート３４０は好ましくは液体（例えば尿）に対して不透過性であり、また好ましくは薄いプラスチックフィルムから製造されるが、他の可撓性のある液体不透過性材料も使用されてもよい。本明細書で使用する「可撓性」という用語は、順応性があって、ヒトの身体の概略の形状や輪郭に容易に従う材料を指す。バックシート３４０として好適な材料は、約０．０１２ｍｍ（０．５ミル）〜約０．０５１ｍｍ（２．０ミル）の厚さを有し、好ましくはポリエチレン又はポリプロピレンを含む熱可塑性フィルムである。バックシート３４０にさらに布様の感触を与えることが望ましい場合、バックシート３４０は、ポリオレフィン繊維のスパンボンドウェブなど、その外面に積層された不織布ウェブを有するポリオレフィンフィルムを含んでもよい。さらに、バックシート３４０は、吸収性コア３５０に隣接又は近接した選択された領域に望ましい水準の液体不透性を付与するように全体的又は部分的に構成又は処理された、織布若しくは不織布の繊維ウェブ層から形成されてもよい。さらにまたバックシート３４０は、衣類１００から蒸気を逃す一方で液体排泄物がバックシート３４０を通過するのをなおも防ぐ、ミクロ孔質の「通気性」材料から任意に成ってもよい。例えば、バックシート３４０は、ミクロ孔質フィルムに積層された蒸気透過性の不織表面層を含んでもよい。バックシート３４０はまた、ストレッチサーマル積層体（stretch-thermallaminate）（「ＳＴＬ」）材料、ネックボンド積層体（neck-bondedlaminate）（「ＮＢＬ」）材料、又はストレッチボンド積層体（stretch-bondedlaminate）（「ＳＢＬ」）材料などの、エラストマー材であってもよい。バックシート３４０はまた、さらに審美的に好ましい外観を提供するためにエンボス加工することができ、あるいはつや消し仕上げを施すことができる。
【００２８】
吸収性コア３５０は、一般に圧縮性で適合性があり、着用者の皮膚に刺激がないと共に、尿、およびその他のある種の排泄物などの液体を吸収および保持できる、いかなる吸収性部材であってもよい。吸収性コア３５０は、多種多様な寸法および形状（例えば、方形、砂時計形、「Ｔ」字形、非対称等）に製造されてもよく、また一般にエアフェルトと称される粉砕木材パルプなど、使い捨ておむつおよび他の吸収性物品において通常使用される多種多様な液体吸収性材料から製造されてもよい。他の好適な吸収材料の例としては、縮みセルロース詰め物、コフォームを含むメルトブローンポリマー、化学的に剛化、変性若しくは架橋されたセルロース繊維、ティッシュラップおよびティッシュラミネートを含むティッシュ、吸収性フォーム、吸収性スポンジ、超吸収性ポリマー、吸収性ゲル材料、又はあらゆる同等の材料若しくは材料の組み合わせが挙げられる。好ましくは吸収性コア３５０は、超吸収性粒子、および超吸収性粒子のための支持手段を包含する。このような超吸収体粒子は、典型的には吸収性ゲル材料から製造される。好ましくは、支持手段は粉砕木材パルプから形成されてもよい。このような粉砕木材パルプは、合成繊維、高分子繊維、メルトブロー繊維、又はメルトブロー繊維および天然繊維の組み合わせと交換されてもよい。吸収性コア３５０の形体および構成は多様であってもよい（例えば、吸収性コアは、多様なキャリパーゾーン、親水性勾配、超吸収性勾配、若しくは低い平均密度および低い平均坪量獲得区域を有してもよいか、又は１つ以上の層若しくは構造を含んでもよい）。さらに吸収性コア３５０の寸法および吸収能力も、乳幼児から成人にわたる着用者に適応するために多様であってもよい。しかし、吸収性コア３５０の全吸収能力は、衣類１００の意図される用途に適合性があるべきである。吸収性コア３５０は、化学的に剛化された繊維の受入／分配層と、受入／分配層の下部に配置された流体貯蔵層とをさらに備えてもよい。
【００２９】
股パネル１５１は、好ましくは液体および他の身体排泄物の閉じ込めを改善するための一対の伸縮性バリアカフ３６０をさらに含む。伸縮性バリアカフ３６０は、典型的にはバリアシート３６１および弾性的スペーサー部材３６２を含む。伸縮性バリアカフ３６０は、固定縁部３６３および自由縁部３６４を有する。固定端部３６３は、当該技術分野において周知のあらゆる好適な方法で、トップシート３３０、バックシート３４０、吸収性コア３５０など、下にある構成要素に接合する。弾性的スペーサー部材３６２は、弾性的バリアカフ３６０の自由縁部３６４に隣接するようにバリアシート３６１で囲まれる。弾性的スペーサー部材３６２は、バリアカフ３６０の自由縁部３６４を、衣類１００の股区域１５０におけるトップシート３３０から離して立ちあがらせる。そのような伸縮性バリアカフは、身体排泄物の漏れを低減するためにいくつかの異なる実施形態を含んでもよいものの、代表的な構造が、米国特許第４，６９５，２７８号；米国特許第４，７９５，４５４号；および米国特許第５，６８５，８７４号に概ね記載されている。伸縮性バリアカフ３６０は、ポリプロピレン、ポリエステル、レーヨン、ナイロン、フォーム、プラスチックフィルム、形成フィルム、および伸縮性フォームなど、多種多様な材料から製造されてもよい。バリアカフ３６０は、織布、不織布、スパンボンドされているもの、カードされているもの、又は同様のものであってもよい。好ましいバリアカフは、材料を液体不透過性にするための付加的な仕上げ剤又は界面活性剤を含有しないポリプロピレン材料を含む。
【００３０】
上記の通り、脚開口部１９０には、伸縮部材１９１が設けられている。伸縮部材１９１は、図１に示すように股パネル１５１の側縁部の一部分に沿って配置されてもよい。しかし、伸縮部材１９１は、股パネル１５１の側縁部の全長に沿って配置されてもよい。
【００３１】
解放可能ジョイント５００は、衣類１００のパンツ形状を予め形成するために、股パネル１５１を第２腰パネル１４１に解放可能に接合する。解放可能ジョイント５００は、意図的な離脱力を解放可能ジョイント５００に加えることによって、衣類１００の構成要素に重大な損傷を引き起こすことなく、解放されて股パネル１５１に開放可能である。解放可能ジョイント５００は、図６および７に示した実施形態で示されているように、第２腰パネル１４１の一部分と股パネル１５１の一部分とを接合するように、より具体的には、第２腰パネル１４１の内側層２５０と股パネル１５１の最外層３７０とを接合するように設けられてもよい。図１および３に示した実施形態では、解放可能ジョイント５００は、３つの構成要素を備えてもよく；１つの構成要素は、股パネルの開放可能端部３０５に隣接して沿って横方向に伸び、また他の２つの構成要素は、股パネル１５１の側縁部に隣接して沿って縦方向に伸びる。あるいは、解放可能ジョイント５００は、２つ又はそれ以上の別個の構成要素、例えば衣類１００の横方向に断続的に伸びる点などで形成されてもよい。
【００３２】
解放可能ジョイント５００は、熱ボンド、圧力接着、超音波接着、粘着ボンド、接着ボンド、穿孔、又はその他のあらゆる好適な手段若しくはこれらの組み合わせなど、あらゆる既知の手段によって形成されてもよい。この実施形態において、解放可能ジョイント５００は、第２腰パネル１４１と股パネル１５１の最外層３７０との間に設けられて、これらを接合する。第２腰パネル１４１には、内側層および外側層２５０、２６０の間に挟まれたエラストマー層５１０が設けられており、また最外層３７０には、内側および外側の不織布層３７１、３７２の間に挟まれたエラストマー層５２０が設けられている。図７に示した実施形態では、解放可能ジョイント５００は、第２腰パネル１４１と、股パネル１５１の最外層３７０の代わりに締結部材４００の基材４２０との間に設けられて、これらを接合する。第２腰パネル１４１には、内側層および外側層２５０、２６０の間に挟まれたエラストマー層５３０が設けられており、また基材４２０は、２つの不織布層と当該不織布層に挟まれたエラストマー層５４０とを備えている。
【００３３】
解放可能ジョイント５００は、好ましくは衣類１００の使用時および／又は適用時に生じる離脱力に耐えるように形成される。本明細書で使用する用語「離脱力」とは、衣類１００の構成要素が互いに取付けられている時、衣類１００の１つの構成要素を衣類１００のもう１つの構成要素から分離させる力を指す。離脱力としては、典型的には剪断力および剥離力が挙げられる。本明細書で使用する用語「剪断力」とは、解放可能ジョイント５００が形成される平面に対してほぼ平行に作用する離脱力を指す。本明細書で使用する用語「剥離力」とは、衣類１００が装用された時に着用者から離れる方向に作用する離脱力を指す。衣類１００の使用時、望ましくなく、解放可能ジョイント５００によって互いに接合された構成要素が互いに分離するので、解放可能ジョイント５００が解放されるための剪断力は、小さすぎるべきではない。これは、着用者の衣服を汚す原因となる、身体排泄物の重大な漏れを結果的にもたらす可能性がある。その一方、ユーザおよび／又は介護人にとって、衣類１００を再締結可能なパンツ型おむつとして使用するために解放可能ジョイント５００が解放されることが困難なので、解放可能ジョイント５００が解放されるための剥離力は、大きすぎるべきではない。このような場合、仮にユーザ／介護人が解放可能ジョイント５００を強制的に解放しようと試みたならば、衣類１００の構成要素は、解放可能ジョイント５００が解放される時に裂けてしまうことがある。不織布層の間に挟まれたエラストマー層５１０、５２０、５３０、および５４０は、解放可能ジョイント５００の剪断力および剥離力を最大限に活用する。エラストマー層のための好適な材料としては、合成ゴム、天然ゴム、熱可塑性オレフィン系エラストマー、熱可塑性ポリウレタンエラストマー、熱可塑性ポリアミドエラストマー、又は同様のものを挙げることができる。解放可能ジョイント５００が解放されるための剪断力は、好ましくは約３．９Ｎ／ｃｍより大きく、より好ましくは約５．９Ｎ／ｃｍ〜約２３．６Ｎ／ｃｍの範囲である。解放可能ジョイント５００が解放されるための剥離力は、好ましくは約３．９Ｎ／ｃｍより小さく、より好ましくは約０．０７９Ｎ／ｃｍ〜約２．０Ｎ／ｃｍの範囲である。
【００３４】
以下の方法は、解放可能ジョイント５００が解放されるための剥離力および剪断力をＮ／ｃｍ単位で測定する手順を説明している。解放可能ジョイント５００が解放されるための剥離力および剪断力の測定に使用される好適な用具は、荷重および伸長のためのデジタル読み出し又はストリップチャートデータディスプレーのどちらかを備えることができるインストロン５５６４である。次の手順が、２３℃（７３°Ｆ）および相対湿度５０％の標準実験状態で行われる。
（１）新品の衣類をパッケージから取出し、衣類の試料ストリップを、解放可能ジョイントを中央に切断する。試料ストリップは、それぞれ（横方向に）２５．４ｍｍ×（縦方向に）１００ｍｍの大きさを有する股パネルおよび腰パネルの部分を含んでおり、当該部分を互いに解放可能に接合すべきである。剪断力および剥離力の各々を測定するために、少なくとも３つの試料ストリップを用意すべきである。
（２）試料ストリップを用具内に配置する。試料ストリップを配置するには、最初に股パネルから取った部分の一端部を用具の上部クランプ内に挿入し、次に腰パネルから取った部分の別の端部を、試料ストリップのいかなる弛みをも排除するための十分な張力で下部クランプ内に挿入する。
（３）試料ストリップを、５００ｍｍ／分の引っぱり速度で、股パネルおよび腰パネルの部分が互いに完全に分離するまで引っぱる。この手順は国際規格ＩＳＯ５２７に基づいており、これを参考として本明細書に組み込む。
（４）手順（３）の間に剪断力又は剥離力値のピーク値を読み取る。
（５）他の試料ストリップについて上記手順（１）〜（４）を繰返す。
（６）剪断力又は剥離力を以下のように計算する：
【数１】
2007522912.tif 000003
【００３５】
締結部材４００は、股パネル１５１上に解放可能端部３０５に隣接して設けられ、股パネルに恒久的に固着される。締結部材４００は、解放可能なジョイント５００が解放された後に衣類１００のパンツ形状を再形成するために、股パネル１５１を第２腰パネル１４１に再締結することができる。好ましい実施形態において、締結部材４００は、股パネル１５１の解放可能端部３０５を第２腰パネル１４１の外面１４１Ｂと再締結することができる。あるいは、締結部材４００は、股パネル１５１を第２腰パネル１４１の内面１４１Ａと再締結することができてもよい。
【００３６】
好ましい実施形態では、締結部材４００は、第２腰パネル１４１に対して相補的であるフックタイプの材料の１つ以上のパッチ（断片）を備える。この場合、第２腰パネル１４１は、典型的には、締結部材４００のフックタイプの材料に対して相補的である受け材料を有する。あるいは、第２腰パネル１４１が締結部材４００の受け材料に対して相補的であるフックタイプの材料を有する場合、締結部材４００は、受け材料の１つ以上のパッチを有してもよい。本明細書で使用する用語「フックタイプの材料」は、基材に接合された、また基材から突き出る締結装置を有するいかなる材料も指す。締結装置は、基材に接合されたシャンク（脚）から、典型的には放射状に突き出た１つ以上の機械的係合手段を有してもよい。係合手段は、典型的にはフックタイプの材料の、相補的な受け材料の露出した表面を貫通し、また同表面に固着される部分である。好適なフックタイプの材料は、ミネソタ・マイニング・アンド・マニュファクチャリング社（MinnesotaMiningandManufacturingCompany）（ミネソタ州ミネアポリス）からモデル番号ＸＰＯ−００４０で、またベルクロＵＳＡ社（VelcroU.S.A.,Inc.）（ニューハンプシャー州マンチェスター）からフック８８で販売されている。本明細書で使用する用語「受け材料」は、フックタイプの材料に対して相補的な、ぎっしりと隙間のない開口部を備える、露出した表面を有するいかなる材料も指す。そのような開口部は、典型的には１本以上のストランド又は繊維により画定される。相補的なフックタイプの材料は、受け材料の露出した表面に捕らえられてもよく、また支障をきたさずに引き抜かれなくてもよい。このような受け材料の好適な材料としては、ループ状の材料、不織布材料又は同様のものを挙げることができる。このような受け材料はまた、クラレ社（KURARAYCorp）により販売されるモデル番号ＣＸ−７８０を備えてもよい。本明細書で説明される実施形態では、約０．８ｍｍのパイル高を有するループ状の材料が、受け材料としてうまく働く。ストランド又は繊維間の開口部が、フックタイプの材料の少なくとも１つの係合手段に、受け材料の露出した表面を貫通させ、またそれによって係合する又は捕らえる寸法である場合、フックタイプの材料と受け材料とは、「相補的」と考えられる。
【００３７】
図４および７〜１０に例示したように、締結部材４００は、第２腰パネル１４１の外面１４１Ｂに対して相補的であるフックタイプの材料のパッチ４１０と、パッチ４１０を取付ける基材４２０とを備える。パッチ４１０は、基材４２０と一体化してもよく、あるいは基材４２０に取付けられた別個の要素であってもよい。パッチ４１０は、製造中の配置に変化を与えるため、またパッチ４１０のざらざらした縁部が着用者の皮膚に接触して刺激するのを防ぐため、締結部材４００の横方向の側縁部４０１および縦方向の終縁部４０２から内側に少なくとも約０．１ｃｍ離間してもよい。パッチ４１０は、締結部材４００によって股パネル１５１を第２腰パネル１４１に再締結可能ならば、いかなる形状で提供されてもよい。そのような好適な形状には、円形若しくは楕円形；半円形；扇形；三角形；正方形、四角形、若しくはダイヤ形；五角形、六角形などの多角形；又は上記の任意の組み合わせが挙げられるが、これらに限定されない。パッチ４１０は、その接合強度が所望の剥離強度および剪断強度を超えるような、当該技術分野において周知のいかなる手段で基材４２０に恒久的に接合されてもよい。別の実施形態では（図示せず）、締結部材４００は、フックタイプ又はループタイプの材料のパッチの代わりに、接着剤の１つ以上のパッチを備えてもよい。好適な接着剤は、イーストマン・ケミカル・プロダクツ社（EastmanChemicalProductsCompany）（テネシー州キングスポート（Kingsport））から商品名イーストボンド（Eastobond）Ａ−３で販売されている。締結部材４００として接着剤パッチを選択する場合、第２腰パネル１４１は、そのような接着剤パッチが容易に接着する相補的な取付け表面を提供することに適合するべきである。ポリエチレン材料は、そのような相補的な取付け表面を有する第２腰パネル１４１を提供するのに好適である。
【００３８】
図３に例示したように、締結部材４００は、第２腰パネル１４１の下部に配置されており、使用前の締結部材４００の望ましくない汚れを防止するために、解放可能ジョイント５００が解放されるまでは第２腰パネル１４１の外側に露出していない。締結部材４００は、解放可能ジョイント５００が解放されることにより、図４に例示したように露出させることができる。その後、衣類１００は、図５に例示したように締結部材４００のパッチ４１０を第２腰パネル１４１の外面１４１Ｂと係合させることにより、着用者の体に再締結可能である。さらに衣類１００は、締結部材４００を収容するためのホルダー６００を備えてもよい。図７、９および１０に例示したように、締結部材４００は、締結部材４００が使用前に露出しないように、また解放可能ジョイント５００が解放される前に締結部材４００が第２腰パネル１４１のいずれかの部分に締結しないように、ホルダー６００内に収容することができる。このような実施形態において、締結部材４００を望ましくない汚れから保護することができ、また着用者の両脚を通して股パネルを再び閉じる時、締結部材４００は、例えば着用者の衣服に予想外に締結することがない。
【００３９】
図１１〜１３は、締結部材４００の別の実施形態を例示している。この実施形態において、締結部材４００は、股パネル３００の外側表面３２０に固着したつまみ部材４３０を有する。締結部材４００としてこのようなつまみ部材４３０を選択する場合、第２腰パネル１４１は、つまみ部材４３０を解放可能に繰返し係合できるスロット部４４０を有することができる。つまみ部材４３０はまた、股パネル３００の内側表面３１０に固着されてもよい。これに対し、締結部材４００は、第２腰パネル１４１がスロット部を解放可能に繰返し係合できるつまみ部材を備える場合、スロット部を有してもよい。図１１に例示したように、締結部材４００のつまみ部材４３０は、第２腰パネル１４１の表面下に配置されており、解放可能ジョイント５００が解放されるまでは第２腰パネル１４１の外側に露出していない。締結部材４００のつまみ部材４３０は、図１２に例示したように、解放可能ジョイント５００が解放されることによって露出させることができる。その後、図１３に例示したようにつまみ部材４３０をスロット部４４０に通すことによって、衣類１００を着用者の体に再締結することができる。他のあらゆる既知の締結手段、例えば、粘着剤、磁石、両性型締結具（hermaphroditicfasteners）、バックル、ボタン、クラスプ又は同様のものも締結部材４００として受容できる場合がある。
【００４０】
図１５は、衣類の別の実施形態を例示している。衣類１０００は、第１腰パネル１１３１と、第２腰パネル１１４１と、股パネル１１５１とを備える。衣類１０００は、第２腰パネル１１４１の外面１１４１Ｂに設けられた開放表示部１００２と、開放操作を容易にするための開放つまみ１００４とを有する。衣類１０００はまた、締結部材１４００を締結するための、第２腰パネル１１４１上に設けられたランディング領域表示部１００６を有する。さらに、図１５に示した実施形態では、解放可能ジョイント５００は２つの構成要素を備え；一方の構成要素は、股パネル１１５１の解放可能端部１３０５に隣接して沿って横方向に伸び、他方の構成要素は、第２腰パネル１１４１の下端１００８に隣接して沿って横方向に伸びている。下端１００８に隣接して沿って伸びている解放可能ジョイント５００の他方の構成要素は、衣類１０００が吸収性コアを含む場合、吸収性コアが存在する区域内に配置されている。
【００４１】
図１６および１７は、解放可能ジョイントの別の実施形態を例示している。図１６は、図１５の線ＸＶＩ−ＸＶＩに沿って取った断面図である。衣類１０００は、第２腰パネル１１４１と股パネル１１５１との間に設けられた取付けユニット１０１０とを備える。取付けユニット１０１０は、股パネル１１５１の解放可能端部１３０５に隣接して沿って設けられた第１取付けユニット１０１２と、第２腰パネル１１４１の下端１００８に隣接して沿って設けられた第２取付けユニット１０１４と、を備える。第１および第２取付けユニット１０１２および１０１４のどちらも、第１恒久取付け部１０１６にて第２腰パネル１１４１に取付けられており、第２恒久取付け部１０１８にて股パネル１１５１に取付けられている。締結部材１４００も、股パネル１１５１の解放可能端部１３０５に隣接して沿って設けられ、股パネル１１５１に接合される。締結部材１４００は、解放可能ジョイント１５００が解放されるまでは、図１６に示すように折り畳まれている。締結部材１４００の折り畳み構成を保つため、締結部材１４００の一部分を、例えば、一時的に取付けユニット１０１２の一部分に接合してもよい。解放可能ジョイント１５００が解放される時、取付けユニット１０１２、１０１４を解放可能ジョイント１５００にて分離させるため、解放可能ジョイント１５００を第１取付け部１０１６と第２取付け部１０１８との間に設ける。図１６に示した実施形態では、解放可能ジョイント１５００は、取付けユニット１０１２、１０１４において形成された穿孔が形成されてもよい。図１７に示すように、解放可能ジョイント１５００が解放された後、締結部材１４００を広げて締結機能を提供する。
【００４２】
図１８は、衣類の別の実施形態を例示している。図１８は衣類の構成を示しており、締結部材１４００は、解放可能ジョイント１５００が解放された後にパンツ形状を再形成するために、第２腰パネル１１４１の外面１１４１Ｂに再締結されている。締結部材１４００をランディング領域表示部１００６に接合できるように、衣類１０００は、基材１０２２の裏側に説明のための表示部１０２０を有しており、表示部に締結部材１４００を接合（図１７も参照のこと）させる。また締結部材が接合されている基材１０２２は、締結部材１４００の再締結を容易にするためのつまみ１０２４を有してもよい。
【００４３】
図１９〜２１は、衣類の便利な処分法を例示している。衣類１００を使用した後、締結部材４００を第２腰パネル１４１から解放される。次に、処分準備をするために、第１および第２腰パネル１３１、１４１を図１９に示すように折り畳む。その後、折り畳んだ第１および第２腰パネル１３１、１４１を、股パネル１５１の解放可能端部３０５に向って巻く。次に、処分するために、締結部材４００を股パネル１５１の外側表面３２０に接合する。
【００４４】
発明を実施するための最良の形態において引用されるすべての文献は、その関連部分において本明細書に参考として組み込まれるが、いずれの文献の引用も、それが本発明に対する先行技術であることを認めるものと解釈されるべきではない。
【００４５】
本発明の特定の実施形態について説明し記載したが、本発明の精神および範囲から逸脱することなく他の様々な変更および修正が可能であることが当業者には自明である。したがって、本発明の範囲内にあるそのようなすべての変更および修正を、添付の特許請求の範囲で扱うものとする。
【図面の簡単な説明】
【００４６】
【図１】本発明の衣類の一実施形態の平面図であり、衣類の着用者に面する表面を示している。
【図２】解放可能ジョイントが解放される前の図１に例示した衣類の概略的な斜視図であり、衣類の第１腰部区域を示している。
【図３】解放可能ジョイントが解放される前の図１に例示した衣類の概略的な斜視図であり、衣類の第２腰部区域を示している。
【図４】解放可能ジョイントが解放された後の図１に例示した衣類の概略的な斜視図である。
【図５】股パネルを第２腰パネルに再締結した時の図１に例示した衣類の概略的な斜視図である。
【図６】図１の線ＶＩ〜ＶＩ沿って取った断面図である。
【図７】図１の線ＶＩＩ〜ＶＩＩに沿って取った断面図である。
【図８】締結部材を股パネルに恒久的に固着した時の締結部材の一実施形態の概略的な斜視図である。
【図９】締結部材をホルダー内に収容する前の締結部材および股パネルの概略的な斜視図である。
【図１０】締結部材をホルダー内に収容した時の締結部材および股パネルの概略的な斜視図である。
【図１１】解放可能ジョイントが解放される前の、本発明の衣類の別の実施形態の概略的な斜視図である。
【図１２】解放可能ジョイントが解放された後の、図１１に例示した衣類の概略的な斜視図である。
【図１３】股パネルを第２腰パネルに再締結した時の、図１１に例示した衣類の概略的な斜視図である。
【図１４】本発明の衣類の代替実施形態の概略的な平面図である。
【図１５】解放可能ジョイントが解放された前の、衣類の代替実施形態の概略的な斜視図であり、衣類の第２腰部区域を示している。
【図１６】図１５の線ＸＶＩ−ＸＶＩに沿って取った断面図である。
【図１７】解放可能ジョイントが解放され、第２腰パネルを図１６に示した配置から移動した断面図である。
【図１８】股パネルを第２腰パネルに再締結した、衣類の代替実施形態の概略的な斜視図である。
【図１９】衣類の便利な処分法を示す、概略的な第１斜視図である。
【図２０】衣類の便利な処分法を示す、概略的な第２斜視図である。
【図２１】衣類の便利な処分法を示す、概略的な第３斜視図である。
【図１】
2007522912.tif 000004
【図２】
2007522912.tif 000005
【図３】
2007522912.tif 000006
【図４】
2007522912.tif 000007
【図５】
2007522912.tif 000008
【図６】
2007522912.tif 000009
【図７】
2007522912.tif 000010
【図８】
2007522912.tif 000011
【図９】
2007522912.tif 000012
【図１０】
2007522912.tif 000013
【図１１】
2007522912.tif 000014
【図１２】
2007522912.tif 000015
【図１３】
2007522912.tif 000016
【図１４】
2007522912.tif 000017
【図１５】
2007522912.tif 000018
【図１６】
2007522912.tif 000019
【図１７】
2007522912.tif 000020
【図１８】
2007522912.tif 000021
【図１９】
2007522912.tif 000022
【図２０】
2007522912.tif 000023
【図２１】
2007522912.tif 000024
【国際調査報告】
2007522912.tif 000025
2007522912.tif 000026
2007522912.tif 000027